(57)【要約】【課題】発音発光弾を容易に把握することのできる発音発光弾用個装容器を提供する。【解決手段】この発音発光弾用個装容器は、発音発光弾を上方から覆う第一ケースと、発音発光弾を下方から覆う第二ケースとを備えている。第一ケースと第二ケースの連結位置は、発音発光弾に備わる安全レバーの上下方向に沿う部分の上端と下端との間に配置されている。【選択図】        図１
2004257683.tif 000002
【特許請求の範囲】
【請求項１】
本体部に内包された爆発薬に対して着火動作を行うために、前記本体部の上端部に設けられた着火構成部に係合して、前記本体部の上下方向に沿って少なくとも一部が延在する安全レバーが配設された発音発光弾を収納する発音発光弾用個装容器であって、
前記発音発光弾の前記本体部の上端面に、前記着火構成部及び前記安全レバーを介して対向する天板及び前記天板の周縁から前記本体部の側面に沿うように延出する第一側板を有して、前記発音発光弾を上方から覆う第一ケースと、
前記発音発光弾の前記本体部の下端面に対向する底板及び前記底板の周縁から前記第一側板に向かって延出し、前記第一側板の開口端に連結される第二側板を有して、前記発音発光弾を下方から覆う第二ケースとを備え、
前記第一側板と前記第二側板の連結位置は、前記安全レバーの前記上下方向に沿う部分の上端と下端との間に配置されていることを特徴とする発音発光弾用個装容器。
【請求項２】
請求項１記載の発音発光弾用個装容器において、
前記連結位置は、前記安全レバーの前記上下方向に沿う部分の上端から下方に１０ｍｍ以上離れた位置と、下端から上方に１０ｍｍ以上離れた位置との間に配置されていることを特徴とする発音発光弾用個装容器。
【請求項３】
請求項２記載の発音発光弾用個装容器において、
前記連結位置は、前記安全レバーの前記上下方向に沿う部分の上端から下方に２０ｍｍ以上離れた位置と、下端から上方に２０ｍｍ以上離れた位置との間に配置されていることを特徴とする発音発光弾用個装容器。
【請求項４】
請求項１〜３のいずれか一項に記載の発音発光弾用個装容器において、
前記連結位置は、前記安全レバーの前記上下方向に沿う部分の上端から下方に７０ｍｍ以上離れた位置及び／若しくは下端から上方に７０ｍｍ以上離れた位置に配置されていることを特徴とする発音発光弾用個装容器。
【請求項５】
請求項１〜４のいずれか一項に記載の発音発光弾用個装容器において、
前記連結位置は、前記安全レバーの前記上下方向に沿う部分の上端と下端とのほぼ中間に配置されていることを特徴とする発音発光弾用個装容器。
【請求項６】
請求項１〜５のいずれか一項に記載の発音発光弾用個装容器において、
前記第一ケース及び前記第二ケースは、樹脂により形成されていることを特徴とする発音発光弾用個装容器。
【請求項７】
請求項６記載の発音発光弾用個装容器において、
前記第一ケース及び前記第二ケースは、ＡＢＳ樹脂により形成されていることを特徴とする発音発光弾用個装容器。
【請求項８】
請求項１〜７のいずれか一項に記載の発音発光弾用個装容器において、
前記第一ケースの前記天板及び前記第二ケースの前記底板の少なくとも一方には、中央に凹部が設けられていることを特徴とする発音発光弾用個装容器。
【請求項９】
請求項１〜８のいずれか一項に記載の発音発光弾用個装容器において、
前記第一ケースの前記第一側板と、前記第二ケースの前記第二側板との隙間を埋めるように貼付されるシート状のシール材を備えることを特徴とする発音発光弾用個装容器。
【請求項１０】
請求項１〜９のいずれか一項に記載の発音発光弾用個装容器において、
前記天板及び前記第一側板の結合角部と、前記底板及び前記第二側板の結合角部との少なくとも一方は、テーパ状若しくは円弧状に形成されていることを特徴とする発音発光弾用個装容器。
【請求項１１】
請求項１〜１０のいずれか一項に記載の発音発光弾用個装容器において、
前記第一ケース及び前記第二ケースの内側には、前記発音発光弾の少なくとも一部に当接する緩衝材が設けられていることを特徴とする。
【発明の詳細な説明】
【０００１】
【発明の属する技術分野】
本発明は、発音発光弾用個装容器に係り、特に安全装置を備えた発音発光弾を格納する発音発光弾用個装容器に関する。
【０００２】
【従来の技術】
従来、スタングレネードと呼ばれる発音発光弾は、暴動、テロ行為、犯罪行為等を制圧または警告するために、人体に肉体的な損傷を与えないように爆発音と閃光を発するようになっている。しかし、肉体的な損傷が与えられなくても、その音と閃光は人間に多大なる影響を与えるために、発音発光弾には、突発的な爆発を防止することを目的とした安全装置が設けられている。
【０００３】
以下、発音発光弾について図３を参照にして説明する。図３は発音発光弾の概略構成を表す側面図である。
発音発光弾１００には、音と光を発生させる爆発薬を収容し、その爆発薬を着火させるための着火構成部１０１を上端部に有する本体部１０２と、着火構成部１０１の着火動作を規制する安全装置１０３が備わっている。
【０００４】
安全装置１０３には、着火構成部１０１の着火動作を規制する安全レバー１０４が着脱自在に設けられている。安全レバー１０４の上端部には、着火構成部１０１に組み付けられる組付部１０５が形成されている。組付部１０５には、着火構成部１０１に設けられた孔１０６に連通する組付孔１０７が設けられている。また、安全レバー１０４の下端部１０４ａは、本体部１０２の上下方向に沿って延在するように設けられている。
【０００５】
安全装置１０３には、着火構成部１０１の孔１０６及び安全レバー１０４の組付孔１０７に着脱自在に係合する安全ピン１０９が、安全リング１０８を備えて設けられている。この安全ピン１０９は、係合時においては安全レバー１０４と着火構成部１０１とを固定して突発的な爆発を防止し、取外時においては安全レバー１０４と着火構成部１０１との係合が解除可能な状態にするようになっている。そして、係合が解除された後に、安全レバー１０４の下端部１０４ａを本体部１０２から離間させれば、組付部１０５を着火構成部１０１からはずせるようになっている。
【０００６】
つまり、発音発光弾１００を使用する際においては、安全リング１０８を介して安全ピン１０９を、孔１０６及び組付孔１０７から引き抜き、その後、安全レバー１０４を着火構成部１０１から取り外せば、着火構成部１０１の着火動作が開始されることになる。そして、所定時間経過すれば発音発光弾１００は爆発し、爆発音及び閃光を発することになる。
【０００７】
通常、上記した発音発光弾１００は、使用時以外のときは、安全ピン１０９が落脱しないように、発音発光弾用個装容器に収納されている。この発音発光弾用個装容器としては、上端部がフルオープン缶蓋である缶状の容器が一般的に用いられており、発音発光弾１００の使用時には、缶蓋を開口して発音発光弾１００を取り出すようになっている（例えば、特許文献１参照）。
【０００８】
【特許文献１】
特開２０００−１２８１６８号公報
【０００９】
【発明が解決しようとする課題】
しかしながら、上記のように容器の上端部がフルオープン缶蓋であると、開封した後であっても、発音発光弾１００の全体が容器内に収納されているために、露出面積が小さく、発音発光弾１００を容器内に入れたままの状態で把握することは困難である。特に、使用者は、手袋をした状態で発音発光弾１００を用いる場合が多いので、容器の上端部のみが開口するだけでは、発音発光弾１００の把握はさらに困難となる。
【００１０】
また、開封後に容器をひっくり返して、発音発光弾１００を取り出してから把握する方法も考えられるが、ひっくり返す際に使用者の手から落下するおそれがある。落下すると、投擲動作が俊敏に行えないだけでなく、落下に伴って安全ピン１０９が落脱し、安全装置１０３が解除されるおそれもある。
【００１１】
本発明の課題は、発音発光弾を容易に把握することのできる発音発光弾用個装容器を提供することである。
【００１２】
【課題を解決するための手段】
請求項１記載の発明は、
本体部に内包された爆発薬に対して着火動作を行うために、前記本体部の上端部に設けられた着火構成部に係合して、前記本体部の上下方向に沿って少なくとも一部が延在する安全レバーが配設された発音発光弾を収納する発音発光弾用個装容器であって、
前記発音発光弾の前記本体部の上端面に、前記着火構成部及び前記安全レバーを介して対向する天板及び前記天板の周縁から前記本体部の側面に沿うように延出する第一側板を有して、前記発音発光弾を上方から覆う第一ケースと、
前記発音発光弾の前記本体部の下端面に対向する底板及び前記底板の周縁から前記第一側板に向かって延出し、前記第一側板の開口端に連結される第二側板を有して、前記発音発光弾を下方から覆う第二ケースとを備え、
前記第一側板と前記第二側板の連結位置は、前記安全レバーの前記上下方向に沿う部分の上端と下端との間に配置されていることを特徴としている。
【００１３】
請求項１記載の発明によれば、発音発光弾が発音発光弾用個装容器に収納されると、第一ケースの第一側板と、第二ケースの第二側板との連結位置は、安全レバーの上下方向に沿う部分の上端と下端との間に位置するようになっている。例えば、第一ケースを上側に向けて開封した場合には、少なくとも安全レバーの前記上下方向に沿う部分の上端よりも上側における発音発光弾の一部が、第二ケースから露出する。一方、第二ケースを上側に向けて開封した場合には、少なくとも安全レバーの前記上下方向に沿う部分の下端よりも上側における発音発光弾の一部が、第一ケースから露出する。このように、第一ケース及び第二ケースのいずれかが下側であっても、開封後には発音発光弾の一部が露出するので、ひっくり返すことなく発音発光弾を取り出すことができ、発音発光弾の落下を防止することができる。そして、発音発光弾の一部が露出していることにより、手袋をした状態であっても、開封後に発音発光弾を容易に把握することが可能となる。さらに、上下を気にすることなく開封できるので、投擲動作をスムーズに行うことができる。
【００１４】
請求項２記載の発明は、請求項１記載の発音発光弾用個装容器において、
前記連結位置は、前記安全レバーの前記上下方向に沿う部分の上端から下方に１０ｍｍ以上離れた位置と、下端から上方に１０ｍｍ以上離れた位置との間に配置されていることを特徴としている。
【００１５】
請求項２記載の発明によれば、連結位置が、安全レバーの上下方向に沿う部分の上端から下方に１０ｍｍ以上離れた位置と、下端から上方に１０ｍｍ以上離れた位置との間に配置されているので、第一ケース及び第二ケースのいずれかが下側であっても、開封後には安全レバーの上下方向に沿う部分のうち、少なくとも１０ｍｍ以上は露出することになる。ここで、一般的な成人の指の平均径は２０ｍｍ前後であるために、この平均径のほぼ半分である１０ｍｍ程度露出していれば、発音発光弾を把握する際に安全レバーを本体部に容易に押さえつけることが可能になる。このように、安全レバーを本体部に押さえつけると、発音発光弾をケースから取り出す際に、万が一、安全ピンが脱落したとしても、安全装置が解除されることを防いで、突発的な爆発を防ぐことが可能となる。
【００１６】
請求項３記載の発明は、請求項２記載の発音発光弾用個装容器において、
前記連結位置は、前記安全レバーの前記上下方向に沿う部分の上端から下方に２０ｍｍ以上離れた位置と、下端から上方に２０ｍｍ以上離れた位置との間に配置されていることを特徴としている。
【００１７】
請求項３記載の発明によれば、連結位置が、安全レバーの上下方向に沿う部分の上端から下方に２０ｍｍ以上離れた位置と、下端から上方に２０ｍｍ以上離れた位置との間に配置されているので、第一ケース及び第二ケースのいずれかが下側であっても、開封後には安全レバーの上下方向に沿う部分のうち、少なくとも２０ｍｍ以上は露出することになる。上記したように、一般的な成人の指の平均径は２０ｍｍ前後であるために、２０ｍｍ程度露出していれば、発音発光弾を把握する際に、安全レバーを握ることが可能になり、安全性を高めることができる。
【００１８】
請求項４記載の発明は、請求項１〜３のいずれか一項に記載の発音発光弾用個装容器において、
前記連結位置は、前記安全レバーの前記上下方向に沿う部分の上端から下方に７０ｍｍ以上離れた位置及び／若しくは下端から上方に７０ｍｍ以上離れた位置に配置されていることを特徴としている。
【００１９】
請求項４記載の発明によれば、連結位置が、安全レバーの上下方向に沿う部分の上端から下方に７０ｍｍ以上離れた位置及び／若しくは下端から上方に７０ｍｍ以上離れた位置に配置されているので、安全レバーの上下方向に沿う部分の全長が７０ｍｍ以上ある場合には、当該部分の上端から下方に７０ｍｍ以上離れた位置若しくは下端から上方に７０ｍｍ以上離れた位置に位置させることができる。例えば、連結位置を、安全レバーの上下方向に沿う部分の上端から下方に７０ｍｍ以上離れた位置に配置すると、第二ケースを下側にして第一ケースを取り外せば、安全レバーが第二ケースから７０ｍｍ以上露出することになる。一方、連結位置を、安全レバーの上下方向に沿う部分の下端から上方に７０ｍｍ以上離れた位置に設定すると、第一ケースを下側にして第二ケースを取り外せば、安全レバーが第一ケースから７０ｍｍ以上露出することになる。ここで、一般的な成人の手の幅は７０ｍｍ以上であるので、上記のように７０ｍｍ以上露出していれば、発音発光弾を把握する際に手のひらで安全レバーを握ることが可能になる。したがってより安定して発音発光弾を把握することができる。
【００２０】
また、安全レバーの上下方向に沿う部分の全長が１４０ｍｍ以上ある場合には、連結位置を、当該部分の上端から下方に７０ｍｍ以上離れた位置及び下端から上方に７０ｍｍ以上離れた位置に配置させることができる。こうした場合、第一ケース及び第二ケースのいずれかが下側であっても、開封後には安全レバーの上下方向に沿う部分のうち、少なくとも７０ｍｍ以上は露出することになる。つまり、上下を気にせずに開封しても安全レバーを手のひらで握ることができる。
【００２１】
請求項５記載の発明は、請求項１〜４のいずれか一項に記載の発音発光弾用個装容器において、
前記連結位置は、前記安全レバーの前記上下方向に沿う部分の上端と下端とのほぼ中間に配置されていることを特徴としている。
【００２２】
請求項５記載の発明によれば、連結位置が、安全レバーの上下方向に沿う部分の上端と下端とのほぼ中間に配置されているので、第一ケース及び第二ケースのいずれかが下側であっても、開封後には安全レバーの上下方向に沿う部分は同じ長さだけ露出することになる。このため、上下を気にせずに開封することが可能となり、投擲動作をスムーズに行うことができる。
【００２３】
請求項６記載の発明は、請求項１〜５のいずれか一項に記載の発音発光弾用個装容器において、
前記第一ケース及び前記第二ケースは、樹脂により形成されていることを特徴としている。
【００２４】
請求項６記載の発明によれば、第一ケース及び第二ケースが樹脂により形成されているので、金属で形成された場合よりも静電気の発生を抑えることができ、発音発光弾内部の火薬が静電気により発火することを防止できる。
【００２５】
請求項７記載の発明は、請求項６記載の発音発光弾用個装容器において、
前記第一ケース及び前記第二ケースは、ＡＢＳ樹脂により形成されていることを特徴としている。
【００２６】
ここで、各種樹脂の中で、静電気の発生が極めて小さいものにＡＢＳ樹脂が知られている。つまり、請求項７記載の発明によれば、第一ケース及び第二ケースがＡＢＳ樹脂により形成されているので、静電気の発生をより抑えることが可能となる。
【００２７】
請求項８記載の発明は、請求項１〜７のいずれか一項に記載の発音発光弾用個装容器において、
前記第一ケースの前記天板及び前記第二ケースの前記底板の少なくとも一方には、中央に凹部が設けられていることを特徴としている。
【００２８】
請求項８記載の発明によれば、第一ケースの天板及び第二ケースの底板の少なくとも一方には、中央に凹部が設けられているので、その凹部が設けられた部分においては他の部分よりも薄肉で変形しやすく、全体として可撓性を高めることができる。このため、例えば内圧と外圧との圧力差により外力が生じたとしても、変形することによりその外力をやわらげることができる。
【００２９】
請求項９記載の発明は、請求項１〜８のいずれか一項に記載の発音発光弾用個装容器において、
前記第一ケースの前記第一側板と、前記第二ケースの前記第二側板との隙間を埋めるように貼付されるシート状のシール材を備えることを特徴としている。
【００３０】
請求項９記載の発明によれば、シール材が、第一ケースの第一側板と、第二ケースの第二側板との隙間を埋めるように貼付されているので、気密性を高めることができる。このため、水没した場合においても、発音発光弾が濡れることを防止できる。
【００３１】
請求項１０記載の発明は、請求項１〜９のいずれか一項に記載の発音発光弾用個装容器において、
前記天板及び前記第一側板の結合角部と、前記底板及び前記第二側板の結合角部との少なくとも一方は、テーパ状若しくは円弧状に形成されていることを特徴としている。
【００３２】
請求項１０記載の発明によれば、天板及び第一側板の結合角部と、底板及び第二側板の結合角部との少なくとも一方が、テーパ状若しくは円弧状に形成されているので、落下した際にこれらの結合角部に衝撃力が集中することを分散できる。また、発音発光弾用個装容器をホルダーから取り出す場合に、これら結合角部とホルダーと引っかかることを防止できる。
【００３３】
請求項１１記載の発明は、請求項１〜１０のいずれか一項に記載の発音発光弾用個装容器において、
前記第一ケース及び前記第二ケースの内側には、前記発音発光弾の少なくとも一部に当接する緩衝材が設けられていることを特徴としている。
【００３４】
請求項１１記載の発明は、緩衝材が、発音発光弾の少なくとも一部に当接しているので、落下による衝撃力が発音発光弾まで伝達することを防ぐことができる。
【００３５】
【発明の実施の形態】
以下、本発明の実施形態を、図１〜図３を参照して説明する。
図１は本発明に係る発音発光弾用個装容器の実施の一形態を示したものである。なお、本実施形態の発音発光弾用個装容器は、例えば、従来の技術でも説明した発音発光弾１００を収納するものである。このため、以下の説明における発音発光弾１００の各部については、上述の説明と同様に図３を参照にし同一の符号を付して説明する。発音発光弾１００は、緩衝材２によりその周囲を覆われた状態で発音発光弾用個装容器１に収納される。
【００３６】
発音発光弾用個装容器１は、図１に示すように、発音発光弾１００を上方から覆う第一ケース１０と、下方から覆う第二ケース２０とを備えるカプセル状の容器である。
【００３７】
第一ケース１０は、発音発光弾１００の本体部１０２の上端面に、着火構成部１０１及び安全レバー１０４を介して対向する天板１１と、天板１１の周縁から本体部１０２の側面に沿うように延出する第一側板１２を有しており、これらが例えばＡＢＳ樹脂等の樹脂により一体成形されている。
【００３８】
第二ケース２０は、発音発光弾１００の本体部１０２の下端面に対向する底板２１と、底板２１の周縁から第一側板１２に向かって延出する第二側板２２を有しており、これらが例えばＡＢＳ樹脂等の樹脂により一体成形されている。
【００３９】
第二側板２２の先端部は、第一側板１２の開口端に連結されるジョイント２３を備えている。このジョイント２３の先端は、第一側板１２内に嵌合するように、その外径が第一側板１２の内径よりも僅かに小さく形成されている。そして、第一側板１２と、ジョイント２３との間には、両者の隙間を埋めるようにシート状のシール材（図示省略）が貼付されている。このシール材により、気密性を高めることができ、水没した場合においても、発音発光弾１００が濡れることを防止できる。
【００４０】
第二ケース２０の内部下方には、乾燥剤３０が配置されている。乾燥剤３０の上方には、複数の緩衝材３１が積層されている。ここで、発音発光弾１００は、収納時においては緩衝材３１上に載置されて、緩衝材２に当接するので、発音発光弾用個装容器１が落下したとしてもその衝撃力は緩衝材２、３１により弱められ、発音発光弾１００に対する影響を抑制できる。
【００４１】
緩衝材２、３１は、発音発光弾１００に対する衝撃力を弱めるものならば如何なるものでもよいが、例えばダンボール等の紙製のものであれば、吸湿性が高いために湿気をより吸収できる。
【００４２】
第一ケース１０及び第二ケース２０の表面には、把握時における摩擦力を高めるために、細かい凹凸（図示省略）が形成されている。また、第一ケース１０及び第二ケース２０の表面には、例えば注意書きや製造年月日等が記載されたラベル４０が貼付されている。このラベル４０の上下方向は、発音発光弾１００の上下方向に対応しており、ラベル４０を見れば、発音発光弾１００の上下方向が認識できるようになっている。また、第一ケース１０と第二ケース２０の連結位置Ｃにあたる表面には、シート状のシール材５０が貼付されており、第一ケース１０と第二ケース２０との連結を維持するとともに、内部に水が浸透することを防止している。
【００４３】
天板１１及び底板２１の中央表面には、球面状に窪んだ凹部１４、２４が形成されている。この凹部１４、２４が設けられた部分は、他の部分よりも薄肉となるので、変形しやすく、全体として可撓性を高めることができる。このため、例えば内圧と外圧との圧力差により外力が生じたとしても、変形することによりその外力をやわらげることができる。
【００４４】
天板１１及び第一側板１２の結合角部１５と、底板２１及び第二側板２２の結合角部２５は、その外形が円弧状に形成されており、落下した際にこれらの結合角部１５、２５に衝撃力が集中することを分散できる。また、結合角部１５、２５が鋭角を有していないので、発音発光弾用個装容器１をホルダーから取り出す際に引っかかることを防止している。なお、これら結合角部１５、２５の外形はテーパ状に形成されていてもよい。
【００４５】
次に、第一側板１２と第二側板２２の連結位置Ｃについて図２を参照にして説明する。図２は、第二ケース２０に発音発光弾１００を収納した際の状態を表す側断面図である。
【００４６】
連結位置Ｃは、は、図２に示すように、安全レバー１０４の下端部１０４ａ（本体部１０２の上下方向に沿う部分）における上端Ａと下端Ｂとの間（間隔Ｄ）に位置するように設定されている。このように連結位置Ｃが間隔Ｄ内に配置されていることで、例えば、第一ケース１０を上側に向けて開封した場合には、少なくとも安全レバー１０４の下端部１０４ａの上端Ａよりも上側における発音発光弾１００の一部（図２における上端Ａよりも上側部分）が、第二ケース２０から露出する。一方、第二ケース２０を上側に向けて開封した場合には、少なくとも安全レバー１０４の下端部１０４ａの下端Ｂよりも上側における発音発光弾１００の一部（図２における下端Ｂよりも下側部分）が、第一ケース１０から露出する。このように、第一ケース１０及び第二ケース２０のいずれかが下側であっても、開封後には発音発光弾１００の一部が露出するので、ひっくり返すことなく発音発光弾１００を取り出すことができ、発音発光弾１００の落下を防止することができる。
【００４７】
上記のように連結位置Ｃが間隔Ｄ内に配置されていれば、開封後に発音発光弾１００の一部を露出させることが可能であるが、この連結位置Ｃの設置個所として好ましいのは、安全レバー１０４の下端部１０４ａの上端Ａから下方に１０ｍｍ以上離れた位置と、下端Ｂから上方に１０ｍｍ以上離れた位置との間であり、さらに好ましくは、前記下端部１０４ａの上端Ａから下方に２０ｍｍ以上離れた位置と、下端Ｂから上方に２０ｍｍ以上離れた位置との間である。
【００４８】
連結位置Ｃを、安全レバー１０４の下端部１０４ａの上端Ａから下方に１０ｍｍ以上離れた位置と、下端Ｂから上方に１０ｍｍ以上離れた位置との間に配置した場合には、第一ケース１０及び第二ケース２０のいずれかが下側であっても、開封後には安全レバー１０４の下端部１０４ａのうち、少なくとも１０ｍｍ以上は露出することになる。ここで、一般的な成人の指の平均径は２０ｍｍ前後であるために、この平均径のほぼ半分である１０ｍｍ程度露出していれば、発音発光弾を把握する際に安全レバー１０４を本体部１０２に容易に押さえつけることが可能になる。
【００４９】
一方、連結位置Ｃを、安全レバー１０４の下端部１０４ａの上端Ａから下方に２０ｍｍ以上離れた位置と、下端Ｂから上方に２０ｍｍ以上離れた位置との間に配置した場合には、第一ケース１０及び第二ケース２０のいずれかが下側であっても、開封後には安全レバー１０４の下端部１０４ａのうち、少なくとも２０ｍｍ以上は露出することになる。上記したように、一般的な成人の指の平均径は２０ｍｍ前後であるために、２０ｍｍ程度露出していれば、発音発光弾を把握する際に、安全レバー１０４を握ることが可能になり、安全性を高めることができる。
【００５０】
さらに、連結位置Ｃを、間隔Ｄのほぼ中間位置に設置すれば、第一ケース１０及び第二ケース２０のいずれかが下側であっても、開封後には安全レバー１０４の下端部１０４ａは同じ長さだけ露出することになり、上下を気にせずに開封することが可能となる。
【００５１】
また、安全レバー１０４の下端部１０４ａの全長が７０ｍｍ以上ある場合には、連結位置Ｃを、安全レバー１０４の下端部１０４ａの上端Ａから下方に７０ｍｍ以上離れた位置若しくは下端Ｂから上方に７０ｍｍ以上離れた位置に配置することが好ましい。例えば、連結位置Ｃを、安全レバー１０４の下端部１０４ａ上端Ａから下方に７０ｍｍ以上離れた位置に設定すると、第二ケース２０を下側にして第一ケース１０を取り外せば、安全レバー１０４が第二ケース２０から７０ｍｍ以上露出することになる。一方、連結位置Ｃを、安全レバー１０４の下端部１０４ａの下端Ｂから上方に７０ｍｍ以上離れた位置に設定すると、第一ケース１０を下側にして第二ケース２０を取り外せば、安全レバー１０４が第一ケース１０から７０ｍｍ以上露出することになる。ここで、一般的な成人の手の幅は７０ｍｍ以上であるので、上記のように７０ｍｍ以上露出していれば、発音発光弾１００を把握する際に手のひらで安全レバー１０４を握ることが可能になる。したがってより安定して発音発光弾１００を把握することができる。
【００５２】
そして、安全レバー１０４の下端部１０４ａの全長が１４０ｍｍ以上ある場合には、連結位置Ｃを、安全レバー１０４の下端部１０４ａの上端Ａから下方に７０ｍｍ以上離れ、かつ下端Ｂから上方に７０ｍｍ以上離れた位置に設置することができる。こうした場合、第一ケース１０及び第二ケース２０のいずれかが下側であっても、開封後には安全レバー１０４の下端部１０４ａのうち、少なくとも７０ｍｍ以上は露出することになる。つまり、上下を気にせずに開封しても安全レバーを手のひらで握ることができる。
【００５３】
次に、本実施形態の発音発光弾用個装容器１の使用方法について説明する。
【００５４】
先ず、発音発光弾１００を収納する際においては、作業者は、予め第二ケース２０内部に乾燥剤３０及び緩衝材３１を入れるとともに、ジョイント２３の先端部にシール材を貼付する。その後、作業者は、緩衝材２で発音発光弾１００を覆ってから、緩衝材３１上に発音発光弾１００を載置して、第二ケース２０内に収納する。収納後、第一ケース１０と第二ケース２０とを連結して、その連結位置Ｃにシール材５０を貼付する。この際、シール材５０を容易に剥がせるように周知の処理を施しておく。
【００５５】
そして、携帯時においては、使用者の衣服に設けられたホルダーに発音発光弾用個装容器１は収納されており、使用時になると、使用者は、ホルダーから発音発光弾用個装容器１を取り出して開封動作を行う。
開封動作になると、先ず使用者は、シール材５０を剥がしてから、そのとき上側に配置されるケース（第一ケース１０若しくは第二ケース２０）を、他方のケースから取り外す。その後、発音発光弾１００の露出した部分を把握して、発音発光弾１００を取り出し、安全装置１０３を解除してから投擲動作に移る。
【００５６】
以上のように、本実施形態の発音発光弾用個装容器１によれば、開封時に、発音発光弾１００の一部が露出するので、手袋をした状態であっても、開封後に発音発光弾を容易に把握することが可能となる。さらに、上下を気にすることなく開封できるので、投擲動作をスムーズに行うことができる。
そして、安全レバー１０４を本体部１０２に押さえつけることができるので、発音発光弾１００を取り出す際に、万が一、安全ピン１０９が脱落したとしても、安全装置１０３が解除されることを防いで、突発的な爆発を防ぐことが可能となる。
また、第一ケース１０及び第二ケース２０が、各種樹脂の中で、静電気の発生が極めて小さいＡＢＳ樹脂により形成されているので、静電気の発生をより抑えることが可能となる。
なお、本発明は上記実施の形態に限らず適宜変更可能であるのは勿論である。
【００５７】
【発明の効果】
請求項１記載の発明によれば、第一ケース及び第二ケースのいずれかが下側であっても、開封後には発音発光弾の一部が露出するので、ひっくり返すことなく発音発光弾を取り出すことができ、発音発光弾の落下を防止することができる。そして、発音発光弾の一部が露出していることにより、手袋をした状態であっても、開封後に発音発光弾を容易に把握することが可能となる。さらに、上下を気にすることなく開封できるので、投擲動作をスムーズに行うことができる。
【００５８】
請求項２記載の発明によれば、第一ケース及び第二ケースのいずれかが下側であっても、開封後には安全レバーの上下方向に沿う部分のうち、少なくとも１０ｍｍ以上は露出することになる。ここで、一般的な成人の指の平均径は２０ｍｍ前後であるために、この平均径のほぼ半分である１０ｍｍ程度露出していれば、発音発光弾を把握する際に安全レバーを本体部１０２に容易に押さえつけることが可能になる。このように、安全レバーを本体部に押さえつければ、発音発光弾をケースから取り出す際に、万が一、安全ピンが脱落したとしても、安全装置が解除されることを防いで、突発的な爆発を防ぐことが可能となる。
請求項３記載の発明によれば、第一ケース及び第二ケースのいずれかが下側であっても、開封後には安全レバーの上下方向に沿う部分のうち、少なくとも２０ｍｍ以上は露出することになる。上記したように、一般的な成人の指の平均径は２０ｍｍ前後であるために、２０ｍｍ程度露出していれば、発音発光弾を把握する際に、安全レバーを握ることが可能になり、安全性を高めることができる。
【００５９】
請求項４記載の発明によれば、安全レバーの上下方向に沿う部分の全長が７０ｍｍ以上ある場合には、当該部分の上端から下方に７０ｍｍ以上離れた位置若しくは下端から上方に７０ｍｍ以上離れた位置に位置させることができる。例えば、連結位置を、安全レバーの上下方向に沿う部分の上端から下方に７０ｍｍ以上離れた位置に設定すると、第二ケースを下側にして第一ケースを取り外せば、安全レバーが第二ケースから７０ｍｍ以上露出することになる。一方、連結位置を、安全レバーの上下方向に沿う部分の下端から上方に７０ｍｍ以上離れた位置に設定すると、第一ケースを下側にして第二ケースを取り外せば、安全レバーが第一ケースから７０ｍｍ以上露出することになる。ここで、一般的な成人の手の幅は７０ｍｍ以上であるので、上記のように７０ｍｍ以上露出していれば、発音発光弾を把握する際に手のひらで安全レバーを握ることが可能になる。したがってより安定して発音発光弾を把握することができる。
また、安全レバーの上下方向に沿う部分の全長が１４０ｍｍ以上ある場合には、連結位置を、当該部分の上端から下方に７０ｍｍ以上離れた位置及び下端から上方に７０ｍｍ以上離れた位置に位置させることができる。こうした場合、第一ケース及び第二ケースのいずれかが下側であっても、開封後には安全レバーの上下方向に沿う部分のうち、少なくとも７０ｍｍ以上は露出することになる。つまり、上下を気にせずに開封しても安全レバーを手のひらで握ることができる。
【００６０】
請求項５記載の発明によれば、第一ケース及び第二ケースのいずれかが下側であっても、開封後には安全レバーの上下方向に沿う部分は同じ長さだけ露出することになる。このため、上下方向を気にせずに開封することが可能となり、投擲動作をスムーズに行うことができる。
請求項６記載の発明によれば、金属で形成された場合よりも静電気の発生を抑えることができ、発音発光弾内部の火薬が静電気により発火することを防止できる。
請求項７記載の発明によれば、静電気の発生をより抑えることが可能となる。
【００６１】
請求項８記載の発明によれば、第一ケースの天板及び第二ケースの底板の少なくとも一方には、中央に凹部が設けられているので、その凹部が設けられた部分においては他の部分よりも薄肉で変形しやすく、全体として可撓性を高めることができる。このため、例えば内圧と外圧との圧力差により外力が生じたとしても、変形することによりその外力をやわらげることができる。
請求項９記載の発明によれば、気密性を高めることができる。このため、水没した場合においても、発音発光弾が濡れることを防止できる。
請求項１０記載の発明によれば、発音発光弾用個装容器をホルダーから取り出す場合に、上記結合角部とホルダーと引っかかることを防止できる。
請求項１１記載の発明は、落下による衝撃力が発音発光弾まで伝達することを防ぐことができる。
【図面の簡単な説明】
【図１】本発明に係る発音発光弾用個装容器の実施の一形態を表す説明図であり、（ａ）は側面図、（ｂ）は側断面図である。
【図２】図１の発音発光弾用個装容器に備わる第二ケースが発音発光弾を収納した際の状態を表す側断面図である。
【図３】発音発光弾の概略構成を表す側面図である。
【符号の説明】
１      発音発光弾用個装容器
２      緩衝材
１０      第一ケース
１１      天板
１２      第一側板
１４      凹部
１５      結合角部
２０      第二ケース
２１      底板
２２      第二側板
２４      凹部
２５      結合角部
３１      緩衝材
５０      シール材
１００    発音発光弾
１０１    着火構成部
１０２    本体部
１０３    安全装置
１０４    安全レバー
１０４ａ  下端部（上下方向に沿う部分）
【図１】
2004257683.tif 000003
【図２】
2004257683.tif 000004
【図３】
2004257683.tif 000005